(57)【要約】【課題】表示品質の低下を抑制することが可能な液晶表示装置を提供することにある。【解決手段】実施形態に係る液晶表示装置は、発光色が異なる複数の光源と、複数の光源によって照明される液晶層を含む表示パネルと、表示パネルに映像を表示するために複数の光源を時分割的に順次発光させる駆動部とを具備する。駆動部は、映像を第１輝度で表示する場合、第１発光開始時間から発光停止時間までの期間に前記複数の光源のうちの少なくとも１つを発光させ、映像を前記第１輝度よりも低い第２輝度で表示する場合、第１発光開始時間よりも遅い第２発光開始時間から発光停止時間までの期間に複数の光源のうちの少なくとも１つを発光させる。【選択図】図７
2020177081.tif 000002
【特許請求の範囲】
【請求項１】
発光色が異なる複数の光源と、
前記複数の光源によって照明される液晶層を含む表示パネルと、
前記表示パネルに映像を表示するために前記複数の光源を時分割的に順次発光させる駆動部と
を具備し、
前記駆動部は、
前記映像を第１輝度で表示する場合、第１発光開始時間から発光停止時間までの期間に前記複数の光源のうちの少なくとも１つを発光させ、
前記映像を前記第１輝度よりも低い第２輝度で表示する場合、前記第１発光開始時間よりも遅い第２発光開始時間から前記発光停止時間までの期間に前記複数の光源のうちの少なくとも１つを発光させる
液晶表示装置。
【請求項２】
前記表示パネルは、マトリクス状に配置された画素を含み、
前記第１輝度が最大輝度である場合の前記第１発光開始時間から前記発光停止時間までの期間は、前記画素に書き込まれた映像信号が当該画素において保持される保持期間に対応する期間である
請求項１記載の液晶表示装置。
【請求項３】
発光色が異なる複数の光源と、
前記複数の光源によって照明される液晶層を含む表示パネルと、
前記表示パネルに映像を表示するために前記複数の光源を時分割的に順次発光させる駆動部と
を具備し、
前記駆動部は、
前記映像を第１輝度で表示する場合、第１発光開始時間から第１発光停止時間までの期間に前記複数の光源のうちの少なくとも１つを発光させ、
前記映像を前記第１輝度よりも低い第２輝度で表示する場合、前記第１発光開始時間よりも遅い第２発光開始時間から前記第１発光停止時間よりも早い第２発光停止時間までの期間に前記複数の光源ののうちの少なくとも１つを発光させる
液晶表示装置。
【請求項４】
前記表示パネルは、マトリクス状に配置された画素を含み、
前記第１輝度が最大輝度である場合の前記第１発光開始時間から前記第１発光停止時間までの期間は、前記画素に書き込まれた映像信号が当該画素において保持される保持期間と当該画素に次の映像信号を書き込むための書込期間の少なくとも一部とに対応する期間である
請求項３記載の液晶表示装置。
【請求項５】
前記第２輝度が最小輝度である場合の前記第２発光停止時間は、前記保持期間の終了時間に対応する請求項４記載の液晶表示装置。
【請求項６】
前記液晶層は、高分子分散型液晶層を含む請求項１〜５のいずれか一項に記載の液晶表示装置。
【発明の詳細な説明】
【技術分野】
【０００１】
本発明の実施形態は、液晶表示装置に関する。
【背景技術】
【０００２】
映像を表示するための液晶表示装置として、例えば高分子分散型液晶（ＰＤＬＣ：Polymer Dispersed Liquid Crystal）を用いた高い透過率を有する液晶表示装置（透明ディスプレイ）が知られている。
【０００３】
このような液晶表示装置においては、透過率の向上のために、例えばフィールドシーケンシャル駆動が採用されている。フィールドシーケンシャル駆動とは、各画素における複数の光源（ＬＥＤ）の発光を時分割で切り替えることによりカラー表示を実現する駆動方式である。
【０００４】
しかしながら、フィールドシーケンシャル駆動を採用した液晶表示装置においては、液晶の応答速度が十分でなく、混色の発生等により表示品質が低下する場合がある。
【先行技術文献】
【特許文献】
【０００５】
【特許文献１】特開２０１０−０９７４２０号公報
【発明の概要】
【発明が解決しようとする課題】
【０００６】
そこで、本発明が解決しようとする課題は、表示品質の低下を抑制することが可能な液晶表示装置を提供することにある。
【課題を解決するための手段】
【０００７】
実施形態に係る液晶表示装置は、発光色が異なる複数の光源と、前記複数の光源によって照明される液晶層を含む表示パネルと、前記表示パネルに映像を表示するために前記複数の光源を時分割的に順次発光させる駆動部とを具備する。前記駆動部は、前記映像を第１輝度で表示する場合、第１発光開始時間から発光停止時間までの期間に前記複数の光源のうちの少なくとも１つを発光させ、前記映像を前記第１輝度よりも低い第２輝度で表示する場合、前記第１発光開始時間よりも遅い第２発光開始時間から前記発光停止時間までの期間に前記複数の光源のうちの少なくとも１つを発光させる。
【図面の簡単な説明】
【０００８】
【図１】第１実施形態に係る液晶表示装置に備えられる表示パネルの断面の一例を示す図。
【図２】液晶層の作用について説明するための図。
【図３】液晶層の作用について説明するための図。
【図４】液晶表示装置の概略構成の一例について説明するための図。
【図５】フィールドシーケンシャル駆動が採用された液晶表示装置の動作の概要について説明するための図。
【図６】映像を最小輝度で表示する場合の本実施形態の比較例に係る液晶表示装置の動作の概要について説明するための図。
【図７】映像を最小輝度で表示する場合の本実施形態に係る液晶表示装置の動作の概要について説明するための図。
【図８】映像を最大輝度で表示する場合の第２実施形態に係る液晶表示装置の動作の概要について説明するための図。
【図９】映像を最小輝度で表示する場合の本実施形態に係る液晶表示装置の動作の概要について説明するための図。
【発明を実施するための形態】
【０００９】
以下、図面を参照して、各実施形態について説明する。  
（第１実施形態）  
本実施形態に係る液晶表示装置は、例えば高分子分散型液晶（ＰＤＬＣ：Polymer Dispersed Liquid Crystal）を用いた高い透過率を有する液晶表示装置（透明ディスプレイ）であるものとする。詳細については後述するが、液晶表示装置は表示パネルを有し、当該表示パネルは、光変調層としての高分子分散型液晶層（以下、単に液晶層と表記）を有する。表示パネルにおいては、当該表示パネルの側面から光源によって液晶層が照明され、当該光源からの光が当該液晶層から射出されることによって画像を表示することができる。
【００１０】
図１は、本実施形態に係る液晶表示装置に備えられる表示パネルの断面の一例を示す。図１に示すように、表示パネル２０は、第１基板ＳＵＢ１と、第２基板ＳＵＢ２と、第１基板ＳＵＢ１と第２基板ＳＵＢ２との間に配置された液晶層２１とを備えている。
【００１１】
第１基板ＳＵＢ１は、液晶層２１に近接する側に向かって、透明基板２２、共通電極２３及び配向膜２４を順に備えている。
【００１２】
第２基板ＳＵＢ２は、液晶層２１から離間する側に向かって、配向膜２５、画素電極２６及び透明基板２７を順に備えている。
【００１３】
なお、図１には示されていないが、第２基板ＳＵＢ２は、後述する走査線と、当該走査線に直交する信号線と、当該走査線及び当該信号線の交差付近に配置される画素とを備える。画素は、例えば薄膜トランジスタ（ＴＦＴ：Thin Film Transistor）のようなスイッチング素子等を有する。
【００１４】
一対の透明基板２２及び２７のうちの透明基板２２は、共通電極２３が配置された面とは反対側に光射出面２０Ａを有している。一方、透明基板２７は、透明基板２２との間に液晶層２１等を挟むように配置されている。透明基板２２及び２７は、液晶層２１を支持するものであり、一般に、可視光に対して透明な基板（例えば、ガラス板やプラスチックフィルム等）によって構成されている。
【００１５】
一対の電極である共通電極２３及び画素電極２６のうちの共通電極２３は、透明基板２２の液晶層２１側の表面上に配置されたものであり、例えば面内全体にわたって形成された単一のシート状の電極である。
【００１６】
一方、画素電極２６は、透明基板２７の液晶層２１側の表面上に配置されたものであり、島状に形成されている。表示パネル２０においては複数の画素電極２６が配置されており、当該複数の画素電極２６の各々は、Ｘ方向及びＹ方向にマトリクス状に配置されている。画素電極２６の各々は、上記したスイッチング素子（以下、画素トランジスタと表記）に接続され、液晶層２１に電圧を印加するために駆動される。
【００１７】
共通電極２３及び画素電極２６は、例えば酸化インジウムスズ（ＩＴＯ：Indium Tin Oxide）または酸化インジウム亜鉛（ＩＺＯ：Indium Zinc Oxide）等の透明な導電性材料からなる。透明な導電性材料は、可視光の吸収が小さい材料であることが好ましい。共通電極２３及び画素電極２６の配置の詳細については後述する。
【００１８】
配向膜２４及び２５は、共通電極２３及び画素電極２６と液晶層２１との間にそれぞれ配置され、例えば液晶層２１に用いられる液晶分子やポリマーを配向させるものである。配向膜２４及び２５の種類としては、例えば垂直配向膜及び水平配向膜があるが、図１に示す構成例では、配向膜２４及び２５には水平配向膜が用いられている。水平配向膜としては、例えばポリイミド、ポリアミドイミド等の樹脂膜を配向処理することにより形成された配向膜が用いられる。配向処理は、例えばラビング処理や光配向処理等を含む。透明基板２２及び２７としてプラスチックフィルムを用いる場合には、当該透明基板２２及び２７の変形を抑制する観点から、製造工程において透明基板２２及び２７の表面に配向膜２４及び２５を塗布した後の焼成温度は低い方が好ましい。このため、配向膜２４及び２５としては、１００℃以下の温度で形成可能なポリアミドイミドを用いることが好ましい。
【００１９】
なお、配向膜２４及び２５は、液晶分子とポリマーとを配向させる機能を有していればよい。また、例えば共通電極２３及び画素電極２６間に電場または磁場を印加することによっても液晶層２１に用いられる液晶分子やポリマーを配向させることは可能であるため、このような場合には配向膜２４及び２５を用いなくてもよい。つまり、共通電極２３及び画素電極２６間に電場または磁場を印加させながら、紫外線を照射してポリマーを調合することで、電圧印加状態での液晶分子やポリマーの配向状態を固定させることができる。液晶分子やポリマーの配向に電圧を用いる場合には、配向用と駆動用とで別々の電極を形成してもよいし、例えば周波数によって誘電率異方性の符号が反転する二周波液晶等を液晶材料として用いてもよい。また、液晶分子やポリマーの配向に磁場を用いる場合には、液晶分子やポリマーとして磁化率異方性の大きい材料を用いることが好ましく、例えばベンゼン環の多い材料を用いることが好ましい。
【００２０】
液晶層２１は、一対の透明基板２２及び２７の間に配置されている。液晶層２１は、共通電極２３及び画素電極２６によって生じる電場の大きさや向きに応じて、光源からの光に対して全体的または部分的に散乱性または透明性を示すものである。
【００２１】
具体的には、液晶層２１は、共通電極２３及び画素電極２６に電圧が印加されていないときに光源からの光に対して透明性を示し、共通電極２３及び画素電極２６に電圧が印加されているときに光源からの光に対して散乱性を示す。このような構成は、ノーマリーブラックと称される。
【００２２】
液晶層２１は、上記したポリマー２１Ａと、ポリマー２１Ａ内に分散された液晶分子２１Ｂとを含む複合層（高分子分散型液晶層）である。ポリマー２１Ａ及び液晶分子２１Ｂは、光学異方性を有している。
【００２３】
ポリマー２１Ａ及び液晶分子２１Ｂは、電場に対する応答速度が互いに異なっている。ポリマー２１Ａは、例えば電場に対して応答しない筋状構造または多孔質構造となっているか、または液晶分子２１Ｂの応答速度よりも遅い応答速度を有する筋状構造または棒状構造となっている。ポリマー２１Ａは、例えば低分子モノマーを重合化することにより得られた高分子材料によって構成されている。ポリマー２１Ａは、例えば配向膜２４及び２５の配向方向に沿って配向した、配向性及び重合性を有する材料（例えば、モノマー）を熱及び光の少なくとも一方によって重合させることにより形成されている。
【００２４】
一方、液晶分子２１Ｂは、例えば液晶材料を主に含んで構成されており、ポリマー２１Ａの応答速度よりも十分に早い応答速度を有している。液晶分子２１Ｂは、例えば棒状分子である。液晶分子２１Ｂとしては、正の誘電率異方性を有するもの（いわゆるポジ型液晶）を用いることが好ましい。ポリマー２１Ａが筋状構造または棒状構造となっている場合、液晶分子２１Ｂは、例えばポリマー２１Ａの筋状構造または棒状構造の長軸方向（配向方向）と平行に配向する。
【００２５】
上記したポリマー２１Ａを形成する配向性及び重合性を有するモノマーとしては、光学的に異方性を有しており、かつ、液晶と複合する材料であればよいが、本実施形態においては例えば紫外線で硬化する低分子モノマーであるものとする。電圧無印加の状態で、ポリマー２１Ａと液晶分子２１Ｂとの光学的異方性の方向が一致していることが好ましいため、紫外線硬化前において、液晶材料と低分子モノマーが同一方向に配向していることが好ましい。液晶分子２１Ｂが棒状分子である場合には、使用するモノマー材料の形状も棒状であることが好ましい。以上のことから、モノマー材料としては重合性と液晶性とを併せ持つ材料を用いることが好ましく、例えば重合性官能基として、アクリレート基、メタクリレート基、アクリロイルオキシ基、メタクリロイルオキシ基、ビニルエーテル基及びエポキシ基からなる群から選ばれた少なくとも１つの官能基を有することが好ましい。これらの官能基は、紫外線、赤外線または電子線を照射したり、加熱したりすることによって重合させることができる。紫外線照射時の配向度の低下を抑制するために、多官能基をもつ液晶性材料を添加することも可能である。ポリマー２１Ａを上述した筋状構造とする場合には、ポリマー２１Ａの原料として、２官能液晶性モノマーを用いることが好ましい。また、ポリマー２１Ａの原料に対して、液晶性を示す温度の調整を目的として単官能モノマーを添加する、または、架橋密度の向上を目的として３官能以上のモノマーを添加することも可能である。
【００２６】
ここで、図２及び図３を参照して、上記した液晶層２１の作用について簡単に説明する。
【００２７】
図２は、共通電極２３及び画素電極２６に所定の電圧が印加されていない状態（以下、電圧無印加状態と表記）における液晶層２１の作用の概要を示す。
【００２８】
ここで、電圧無印加状態（つまり、液晶層２１に電場が生じていない状態）では、ポリマー２１Ａの光軸の向きと液晶分子２１Ｂの光軸の向きとが互いに一致し、正面方向及び斜め方向を含むあらゆる方向において屈折率差が極めて小さくなる。
【００２９】
このため、例えば鎖線で示す側面から入射する光源からの光（入射光）Ｌ１１〜Ｌ１３は、液晶層２１内で散乱されることなく液晶層２１を透過する。なお、光源から透明基板２２または２７側に向かった光は全反射され、外部に射出されることはない。
【００３０】
また、一点鎖線で示した透明基板２７の外側から当該透明基板２７、液晶層２１及び透明基板２２を貫通する方向に入射した光Ｌ２１及びＬ２２についても当該液晶層２１内で散乱されることなく液晶層２１を透過し、透明基板２７の光射出面２０Ａから射出される。このように電圧無印加状態では、液晶層２１は高い透明性を有する。
【００３１】
図３は、共通電極２３及び画素電極２６に所定の電圧が印加されている状態（以下、電圧印加状態と表記）における液晶層２１の作用の概要を示す。
【００３２】
ここで、電圧印加状態（つまり、液晶層２１に電場が生じている状態）では、ポリマー２１Ａの光軸の方向と液晶分子２１Ｂの光軸の方向とが交差し、正面方向及び斜め方向を含むあらゆる方向において屈折率差が大きくなる。
【００３３】
このため、液晶層２１においては高い散乱性が得られる。この場合、光源からの入射光Ｌ１１〜Ｌ１３は、液晶層２１内で散乱され、この散乱光Ｌ３１及びＬ３２が透明基板２２の光射出面２０Ａから射出される。これにより、例えば表示パネル２０（透明基板２２の光射出面２０Ａ）が観察された場合には、散乱光Ｌ３１及びＬ３２を視認することができる。
【００３４】
すなわち、例えば表示パネル２０を正面から見ると、電圧無印加状態では、透明基板２７、液晶層２１及び透明基板２２を透過した光が視認される。一方、電圧印加状態では、液晶層２１において散乱されて射出された光源からの光が視認される。
【００３５】
なお、ここでは電圧印加状態で液晶層２１が高い散乱性を得るものとして説明したが、例えば電圧印加状態でポリマー２１Ａの光軸の向きと液晶分子２１Ｂの光軸の向きとが互いに一致するようにしておくことで、電圧無印加状態で液晶層２１が高い散乱性を得るような構成とすることも可能である。
【００３６】
次に、図４を参照して、本実施形態に係る液晶表示装置１０の概略構成について説明する。図４に示すように、液晶表示装置１０は表示領域ＤＡ（マトリクス画素領域）を有し、当該表示領域ＤＡには、複数の画素ＰＸがマトリクス状に配置（配列）されている。
【００３７】
また、液晶表示装置１０は、走査回路４１、信号出力回路４２、共通電極駆動回路４３、光源（ＬＥＤ）駆動回路４４及びタイミングコントローラ４５を備える。なお、走査回路４１及び信号出力回路４２は、例えばＣＯＧ方式で第２基板ＳＵＢ２（ガラス）上に実装される。この場合、共通電極駆動回路４３、光源駆動回路４４及びタイミングコントローラ４５は、例えば上記した走査回路４１及び信号出力回路４２とは別のプリント基板上に実装される。
【００３８】
更に、走査回路４１、信号出力回路４２及びタイミングコントローラ４５を１つの半導体集積回路として構成し、当該半導体集積回路をＣＯＧ方式で実装してもよい。また、走査回路４１、信号出力回路４２及びタイミングコントローラ４５に加えて、共通電極駆動回路４３の全部または一部、光源駆動回路４４の全部または一部、消費電力の少ない他の制御回路等を１つの半導体集積回路として構成し、ＣＯＧ方式で実装される場合もあり得る。
【００３９】
更に、表示領域ＤＡには、複数の画素ＰＸの行方向に沿って延伸する複数の走査線（ゲート線）４１１と、当該複数の画素ＰＸの列方向に沿って延伸する複数の信号線（ソース線）４２１と、当該複数の走査線４１１と並行して延伸する電源線４３１が更に配置されている。
【００４０】
複数の画素ＰＸの各々は、複数の走査線４１１の各々と複数の信号線４２１の各々との交点に配置されている。
【００４１】
ここで、画素ＰＸの構成について説明する。図４に示すように、画素ＰＸは、画素トランジスタ（画素スイッチ）ＳＷ、液晶素子ＬＥ及び蓄積容量部（補助容量部）Ｃａｄを備える。
【００４２】
画素トランジスタＳＷのゲート電極は、対応する走査線４１１と電気的に接続されている。画素トランジスタＳＷのソース電極及びドレイン電極の一方は、対応する信号線４２１と電気的に接続されている。画素トランジスタＳＷのソース電極及びドレイン電極の他方は、対応する液晶素子ＬＥと電気的に接続されている。以下の説明においては、信号線４２１に画素トランジスタＳＷのソース電極が接続されており、液晶素子ＬＥに画素トランジスタＳＷのドレイン電極が接続されているものとする。
【００４３】
なお、図４においては示されていないが、液晶素子ＬＥは、液晶層２１と、画素電極２６と、当該液晶層２１を挟んで画素電極２６と対向する位置に配置された共通電極２３とを有する。画素電極２６は画素トランジスタＳＷのドレイン電極と接続され、共通電極２３は電源線４３１と接続されている。
【００４４】
また、蓄積容量部Ｃａｄは、映像信号に基づく電圧を安定して液晶素子ＬＥ（液晶層２１）に印加するために設けられている。蓄積容量部Ｃａｄは、一対の電極によって蓄積容量を形成し、その一方の電極は液晶素子ＬＥ（画素電極２６）及び画素トランジスタＳＷのドレイン電極と接続されており、他方の電極は電源線４３１と接続されている。
【００４５】
走査回路４１は、複数の走査線４１１と接続される。走査回路４１は、各走査線４１１を介して、当該走査線４１１に電気的に接続された画素トランジスタＳＷのゲート電極にオン電圧及びオフ電圧を印加する。画素トランジスタＳＷのゲート電極にオン電圧が印加された場合、当該画素トランジスタＳＷのソース電極−ドレイン電極間が導通する。
【００４６】
信号出力回路４２は、複数の信号線４２１と接続される。信号出力回路４２は、各信号線４２１を介して、各画素ＰＸに映像信号（出力信号）を供給する。これにより、映像信号は、ソース電極−ドレイン電極間が導通した画素トランジスタＳＷを介して、画素ＰＸに書き込まれる。
【００４７】
共通電極駆動回路４３は、電源線４３１と接続される。共通電極駆動回路４３は、共通電極２３に駆動信号を供給する（駆動電圧を印加する）。
【００４８】
光源駆動回路４４は、上記した光源３０（ＬＥＤ）と接続され、当該光源３０の発光を駆動する。なお、光源３０は、発光色の異なる複数の光源（発光素子）を含む。具体的には、光源３０は、例えば赤色を発光する赤色光源Ｒ、緑色を発光する緑色光源Ｇ及び青色を発光する青色光源Ｂを含む。なお、発光素子としては例えばＬＥＤ（Light Emitting Diode）を用いることができるが、当該発光素子はレーザダイオード（ＬＤ：Laser Diode）等であってもよい。
【００４９】
タイミングコントローラ４５は、液晶表示装置１０全体の各種タイミングを制御する。具体的には、タイミングコントローラ４５は、後述するフレーム信号及びフィールド信号等を出力し、走査回路４１、信号出力回路４２、共通電極駆動回路４３及び光源駆動回路４４等の駆動を制御する。
【００５０】
以下、本実施形態に係る液晶表示装置１０の動作について説明する。本実施形態においては、映像信号に基づく映像を表示する際の液晶表示装置１０の駆動方式としてフィールドシーケンシャル駆動（方式）が採用されているものとする。フィールドシーケンシャル駆動とは、各画素ＰＸにおける赤色、緑色及び青色の発光を時分割で切り替える（つまり、赤色光源Ｒ、緑色光源Ｇ及び青色光源Ｂを時分割で順次発光させる）ことによりカラー表示を実現する駆動方式である。
【００５１】
ここで、図５を参照して、フィールドシーケンシャル駆動が採用された液晶表示装置１０の動作の概要について説明する。
【００５２】
図５において、フレーム信号は、液晶表示装置１０の表示領域ＤＡに表示される映像（フレーム）を切り替えるための信号である。また、フィールド信号は、上記したフィールドシーケンシャル駆動におけるフィールドを切り替えるための信号である。
【００５３】
この場合、フレーム信号に基づく１フレーム期間（１フレームの映像を表示する期間）は、フィールド信号に基づいて、赤色成分の映像（フィールド）を表示するための期間（以下、Ｒ期間と表記）、緑色成分の映像（フィールド）を表示するための期間（以下、Ｇ期間と表記）、及び、青色成分の映像（フィールド）を表示するための期間（以下、Ｂ期間と表記）に分割される。
【００５４】
更に、上記したＲ期間、Ｇ期間及びＢ期間はそれぞれ、映像信号を画素ＰＸに書き込むための期間（以下、書込期間と表記）と当該映像信号を画素ＰＸに保持させる期間（以下、保持期間と表記）とを含む。書込期間においては、上記した複数の走査線４１１を順に走査し、信号線４２１に映像信号を印加することによって、当該映像信号が画素ＰＸに書き込まれる。また、保持期間においては、映像信号が書き込まれた状態を画素ＰＸが保持し、対応する色の光源を発光（点灯）させる。
【００５５】
具体的には、例えば赤色光源Ｒを発光させた場合、液晶層２１には赤色光源Ｒからの光（赤色の入射光）が入射される。ここで、画素ＰＸに保持されている映像信号に基づいて共通電極２３及び画素電極２６に電圧が印加されることにより、液晶層２１内は散乱状態となり、赤色の入射光の散乱光が射出される。これにより、赤色のフィールドを表示することができる。なお、液晶層２１に印加される電圧の大きさまたは印加時間は、入射光の光強度と、表示される映像その赤色成分に応じて決定される。
【００５６】
ここでは、Ｒ期間において赤色のフィールドを表示する場合について説明したが、Ｇ期間において緑色光源Ｇを発光させて緑色のフィールドを表示する場合及びＢ期間において青色光源Ｂを発光させて青色のフィールドを表示する場合についても同様である。
【００５７】
また、液晶は交流駆動を行わなければならないため、液晶層２１に印加される電圧（以下、液晶印加電圧と表記）の極性は、フレーム毎に反転される。この場合、正極性（プラス極性）の各フィールドを順に表示した後、液晶印加電圧の極性を反転して、負極性（マイナス極性）の各フィールドを順に表示する反転駆動が実行される。このとき、共通電極２３に印加される駆動信号ＶＣＯＭは、上記した液晶印加電圧の極性に応じて、フレーム（１フレーム期間）毎に反転する。
【００５８】
なお、ここでは共通電極２３に印加される駆動信号ＶＣＯＭを反転させて液晶を駆動する方式について説明したが、他の方式で液晶を駆動するようにしてもよい。
【００５９】
上記したフィールドシーケンシャル駆動によれば、フィールド毎に、書込期間に各画素ＰＸに映像信号が書き込まれ、当該映像信号の保持期間において当該フィールドに対応する色の光源を発光させる。これにより、Ｒ期間において赤色のフィールドを表示し、Ｇ期間において緑色のフィールドを表示し、Ｂ期間において青色のフィールドを表示することができる。フィールドシーケンシャル駆動においては、このように表示される赤色（Ｒ）、緑色（Ｇ）及び青色（Ｂ）のフィールドを時間積分することでフルカラーの映像を表示することができる。
【００６０】
なお、上記した説明では映像信号に含まれる色成分が赤色成分、緑色成分及び青色成分である場合を想定しているが、当該映像信号に含まれる色成分は、例えばシアン、マゼンタ及びイエロー（黄）であってもよい。この場合には、緑色光源Ｇ及び青色光源Ｂ、赤色光源Ｒ及び青色光源Ｂ、赤色光源Ｒ及び緑色光源Ｇをそれぞれ同時に発光させるようにすればよい。
【００６１】
また、各光源が発光する色、または複数の光源が同時に発光する場合における当該複数の光源が発光する色の組み合わせ等は、適宜変更（選択）されても構わない。
【００６２】
ここで、液晶表示装置１０においては、表示領域ＤＡにマトリクス状に配置されている複数の画素ＰＸを走査開始行から走査終了行まで順に走査することによって当該複数の画素ＰＸの各々に映像信号を書き込み、当該画素ＰＸに書き込まれた映像信号に基づいて散乱状態となった液晶層２１から光源３０（赤色光源Ｒ、緑色光源Ｇまたは青色光源Ｂ）からの光が射出されることによって映像が表示される。
【００６３】
この場合、走査開始行から走査終了行まで順に走査されることから、当該走査開始行を構成する画素ＰＸにおいて液晶が応答を開始するタイミングと、当該走査終了行を構成する画素ＰＸにおいて液晶が応答を開始するタイミングとでは遅延が発生する。
【００６４】
図５に示す波形２１１は、走査開始行における液晶の応答（以下、第１液晶応答と表記）を表している。また、図５に示す波形２１２は、走査終了行における液晶の応答（以下、第２液晶応答と表記）を表している。
【００６５】
なお、波形２１１及び波形２１２は、表示領域ＤＡ全体を赤色で表示する赤ラスタ表示の場合における液晶の応答状態を想定している。赤ラスタ表示の場合、赤色のフィールドを表示するためのＲ期間では赤色光源Ｒからの光が液晶層２１から射出されるように液晶を応答させ、緑色及び青色のフィールドを表示するためのＧ期間及びＢ期間では緑色光源Ｇ及び青色光源Ｂからの光が液晶層２１から射出されないように液晶を応答させない制御が実行される。
【００６６】
図５に示すように、波形２１１（第１液晶応答）では赤色のフィールドの書込期間の開始時点付近から液晶が応答を開始しているのに対して、波形２１２（第２液晶応答）では赤色のフィールドの保持期間の開始時点付近から液晶が応答を開始している。このように走査開始行と走査終了行とでは、液晶が応答を開始するタイミングに遅延が発生している。
【００６７】
なお、波形２１１及び２１２に示すように、液晶の応答速度は十分高速であるとはいえず、当該液晶が応答を開始してから当該液晶が十分に散乱光を射出することができる状態に遷移するまでには一定の時間を要する。
【００６８】
ここで、図５に示す波形２２１は、赤色光源Ｒ、緑色光源Ｇ及び青色光源Ｂの発光と第１液晶応答とに応じて液晶層２１から射出される散乱光（以下、第１射出光と表記）を表している。なお、波形２２１は、赤色光源Ｒ、緑色光源Ｇ及び青色光源Ｂの駆動波形と第１液晶応答を表す波形２１１との重複部分に相当する。
【００６９】
走査開始行においては、赤色光源Ｒの発光開始よりも十分早いタイミングで液晶が応答を開始している。このため、第１射出光として、赤色光源Ｒの発光期間（例えば、保持期間）の開始から終了まで当該赤色光源Ｒの光を適切に射出することができる。なお、緑色光源Ｇ及び青色光源Ｂの発光期間においては、液晶は応答していないため、緑色光源Ｇ及び青色光源Ｂの光は第１射出光として射出されない。
【００７０】
一方、図５に示す波形２２２は、赤色光源Ｒ、緑色光源Ｇ及び青色光源Ｂの発光と第２液晶応答とに応じて液晶層２１から射出される散乱光（以下、第２射出光と表記）を表している。なお、波形２２２は、赤色光源Ｒ、緑色光源Ｇ及び青色光源Ｂの駆動波形と第２液晶応答を表す波形２１２との重複部分に相当する。
【００７１】
走査終了行においてはここでは液晶が応答を開始するタイミングに遅延が発生しているため、赤ラスタ表示時であっても、液晶層２１から散乱光が射出される状態が緑色光源Ｇの発光期間まで維持されてしまう。これにより、本来遮光すべき（つまり、射出されるべきではない）緑色の光が第２射出光の一部として射出されてしまう。
【００７２】
ただし、この第２射出光の一部として射出される緑色の光の量は、当該第２射出光として射出される赤色の光の量に対して比率が小さいため、混色は視認されない。
【００７３】
ここで、本実施形態に係る液晶表示装置１０において表示される映像の輝度を調整（つまり、調光）する場合、光源３０（赤色光源Ｒ、緑色光源Ｇ及び青色光源Ｂ）に印加される電圧のパルス幅を変調することによって、当該光源３０の発光期間（時間）が制御されるものとする。なお、光源３０に印加される電圧のパルス幅を変調することは、ＰＷＭ（Pulse Width Modulation）制御と称される。
【００７４】
このＰＷＭ制御により、光源３０の発光期間を長くした場合には映像の輝度を高くすることができ、光源３０の発光期間を短くした場合には映像の輝度を低くすることができる。
【００７５】
本実施形態においては、調光のためにＰＷＭ制御が行われるものとして説明するが、当該ＰＷＭ制御は、映像の階調表示のために行われてもよい。
【００７６】
なお、上記した図５は映像を最大輝度で表示する例を示している。すなわち、本実施形態において映像を最大輝度で表示する場合、各色の光源Ｒ、Ｇ及びＢの発光期間は、保持期間の開始時間から終了時間までの期間に対応している。
【００７７】
次に、映像を最小輝度で表示する場合について説明する。まず、図６を参照して、映像を最小輝度で表示する場合の本実施形態の比較例に係る液晶表示装置の動作の概要を示す。なお、図６の説明においては、図５と同様の部分には同一参照符号を付して、その詳しい説明を省略する。ここでは、図５と異なる部分について主に述べる。
【００７８】
図６に示すように、映像を最小輝度で表示する場合、赤色光源Ｒ、緑色光源Ｇ及び青色光源Ｂの発光期間は、図５に示す映像を最大輝度で表示する場合と比較して短い。なお、本実施形態の比較例においては、映像を最大輝度で表示する場合の発光開始時間から、当該映像を最大輝度で表示する場合の発光停止時間よりも早い発光停止時間までの期間に、各色の光源Ｒ、Ｇ及びＢを発光させている。すなわち、本実施形態の比較例においては、映像を最大輝度で表示する場合の発光開始時間を基準として各色の光源Ｒ、Ｇ及びＢの発光期間が制御されている。
【００７９】
この場合、波形２３１によって表される第１射出光の量は、映像を最大輝度で表示する場合の第１射出光（つまり、図５の波形２２１によって表される第１射出光）の量と比較して少ないため、映像の輝度を低くすることができる。なお、波形２３１は、図６に示す赤色光源Ｒ、緑色光源Ｇ及び青色光源Ｂの駆動波形と第１液晶応答を表す波形２１１との重複部分に相当する。
【００８０】
一方、波形２３２によって表される第２射出光の量は、第２液晶応答における液晶が応答を開始するタイミングの遅延によって、波形２３１によって表される第１射出光の量よりも減少するため、映像の輝度が更に低くなる。なお、波形２３２は、図６に示す赤色光源Ｒ、緑色光源Ｇ及び青色光源Ｂの駆動波形と第２液晶応答を表す波形２１２との重複部分に相当する。
【００８１】
ここで、波形２３２によって表される第２射出光としては緑色の光も射出される。しかしながら、上記した映像を最大輝度で表示する場合とは異なり、本実施形態の比較例において映像を最小輝度で表示する場合に走査終了行で射出される緑色の光の量は、当該走査終了行で射出される赤色の光の量に対して比率が大きい。このような状態の表示パネル２０が観察された際には混色が視認される。
【００８２】
上記したように本実施形態の比較例に係る液晶表示装置においては、例えば最小輝度で映像を表示した場合（つまり、最小調光時）に混色を生じ、当該液晶表示装置の表示品質が低下する場合がある。ここでは最小輝度で映像を表示した場合について説明したが、最小輝度でなくても、低輝度で映像を表示する場合には同様に混色が生じる可能性がある。
【００８３】
このような混色を避けるためには、例えば液晶が応答を開始するタイミングが遅れている第２液晶応答において液晶層２１が散乱光を射出することができる状態にある期間と、対応する色の光源以外の光源（ここでは、緑色光源Ｇ）の発光期間とが重複しないように、映像を最大輝度で表示する際の各色の光源Ｒ、Ｇ及びＢの発光期間自体を短くすることが考えられる。しかしながら、各色の光源Ｒ、Ｇ及びＢの発光期間を短くすることは輝度の低下を招く。
【００８４】
そこで、本実施形態に係る液晶表示装置１０は、各色の光源Ｒ、Ｇ及びＢの発光期間を短くすることなく、上記した液晶表示装置１０の表示品質の低下を抑制する（つまり、混色の発生を抑制する）ように動作するものとする。
【００８５】
図７は、映像を最小輝度で表示する場合の本実施形態に係る液晶表示装置１０の動作の概要を示す。なお、図７の説明においては、図５及び図６と同様の部分には同一参照符号を付して、その詳しい説明を省略する。ここでは、主に図６と異なる部分について述べる。
【００８６】
上記したように映像を最小輝度で表示する場合には、映像を最大輝度で表示する場合と比較して各色の光源Ｒ、Ｇ及びＢの発光期間を短くする。このとき、本実施形態に係る液晶表示装置１０においては、映像を最大輝度で表示する場合の発光開始時間（第１発光開始時間）よりも遅い発光開始時間（第２発光開始時間）から、映像を最大輝度で表示する場合の発光停止時間までの期間に、各色の光源Ｒ、Ｇ及びＢを発光させる。換言すれば、本実施形態におけるＰＷＭ制御においては、発光停止時間を固定し（基準とし）、各色の光源Ｒ、Ｇ及びＢの発光を開始するタイミングを前後させることによって映像の輝度（つまり、各色の光源の発光量）を調整する。
【００８７】
この場合、波形２４１によって表される第１射出光のタイミング（つまり、液晶から散乱光が射出されるタイミング）は図５に示す波形２３１によって表される第１射出光と異なるものの、当該第１射出光の量は同じである。なお、波形２４１は、図７に示す赤色光源Ｒ、緑色光源Ｇ及び青色光源Ｂの駆動波形と第１液晶応答を表す波形２１１との重複部分に相当する。
【００８８】
ここで、上記した図６に示す波形２３２によって表される第２射出光の量は第２液晶応答における液晶が応答を開始するタイミングの遅延によって第１射出光の量よりも減少していたところ、波形２４２によって表される第２射出光の量は、上記した波形２４１によって表される第１射出光の量と同じである。
【００８９】
このため、本実施形態においては、第２液晶応答の場合（つまり、液晶が応答を開始するタイミングに遅延が発生している場合）であっても、第１液晶応答の場合（つまり、液晶が応答を開始するタイミングに遅延が発生していない場合）と同様の輝度を維持することができる。
【００９０】
更に、本実施形態においては、発光停止時間を固定し、発光を開始させるタイミングを遅らせていることにより、第２液晶応答の場合であっても第２射出光として緑色の光は射出されず、混色を生じない。
【００９１】
なお、上記したように各赤色光源Ｒ、緑色光源Ｇ及び青色光源Ｂを発光させる制御は、図４に示す光源駆動回路４４（及びタイミングコントローラ４５）によって実行される。
【００９２】
上記したように本実施形態においては、映像を第１輝度（例えば、最大輝度）で表示する場合には第１発光開始時間から発光停止時間までの期間に複数の光源Ｒ、Ｇ及びＢのうちの少なくとも１つ（例えば、赤色光源Ｒ）を発光させ、映像を第１輝度よりも低い第２輝度（例えば、最小輝度）で表示する場合、第１発光開始時間よりも遅い第２発光開始時間から上記した発光停止時間までの期間に複数の光源Ｒ、Ｇ及びＢのうちの少なくとも１つ（例えば、赤色光源Ｒ）を発光させる。
【００９３】
本実施形態においては、このように第２輝度で映像を表示する際の発光開始位置（発光立ち上がり位置）を各光源Ｒ、Ｇ及びＢの発光期間の後半に置くことにより、最小輝度で映像を表示する際の混色を改善することができるため、表示品質の低下を抑制することができる。更に、本実施形態においては、各光源Ｒ、Ｇ及びＢの発光期間（映像を最大輝度で表示する際の発光期間自体）を短くする必要がないため、輝度の低下を招くこともない。
【００９４】
また、本実施形態においては、図６に示す波形２３２及び図７に示す波形２４２に示されるように、走査終了行における液晶が応答を開始するタイミングの遅延による発光ロス（第２射出光の量の減少）を抑制することも可能である。
【００９５】
また、本実施形態において、映像を最大輝度で表示する場合の発光開始時間から発光停止時間までの期間は、画素ＰＸに書き込まれた映像信号が当該画素において保持される保持期間に対応する期間とする。これによれば、画素ＰＸに書き込まれた映像信号に基づいて各光源Ｒ、Ｇ及びＢからの光を適切に液晶層２１から射出することができる。
【００９６】
なお、本実施形態においては便宜的に映像を最大輝度で表示する場合と映像を最小輝度で表示する場合とについて説明したが、最大輝度及び最小輝度以外の輝度で映像を表示する場合であっても同様である。すなわち、本実施形態においては、発光停止期間を固定し、各光源Ｒ、Ｇ及びＢの発光を開始するタイミングを前後することによって輝度を調整するものであればよく、例えば低輝度の映像を表示する場合には、高輝度の映像を表示する場合に比べて各光源Ｒ、Ｇ及びＢの発光開始時間を遅らせるＰＷＭ制御が行われればよい。
【００９７】
また、本実施形態においては高分子分散型液晶を用いた液晶表示装置（透明ディスプレイ）１０について主に説明したが、本実施形態は、フィールドシーケンシャル駆動を採用する液晶表示装置であれば、他の液晶表示装置に適用されても構わない。
【００９８】
（第２実施形態）  
次に、第２実施形態について説明する。なお、本実施形態に係る液晶表示装置の構成等に関して、前述した第１実施形態と同様の部分については、その詳しい説明を省略する。また、以下においては、適宜、図１〜図４等を用いて説明する。
【００９９】
図８は、映像を最大輝度で表示する場合の本実施形態に係る液晶表示装置１０の動作の概要を示す。図８においては、前述した図５〜図７と同様に、赤ラスタ表示の場合を想定している。
【０１００】
なお、図８の説明においては、前述した図５〜図７と同様の部分には同一参照符号を付して、その詳しい説明を省略する。ここでは、主に図５と異なる部分について述べる。
【０１０１】
前述した第１実施形態においては保持期間に対応する期間に各色の光源Ｒ、Ｇ及びＢを発光させるのに対して、本実施形態においては、図８に示すように保持期間に対応する期間に加えて当該保持期間の次に配置されている書込期間の一部の期間にも各色の光源Ｒ、Ｇ及びＢを発光させる。具体的には、映像を最大輝度で表示する場合には、例えば保持期間の開始時間から当該保持期間の次の書込期間の途中までの期間、各色の光源Ｒ、Ｇ及びＢを発光させるものとする。
【０１０２】
ここで、波形２５１は、図８に示す赤色光源Ｒ、緑色光源Ｇ及び青色光源Ｂの発光と第１液晶応答とに応じて液晶層２１から射出される散乱光（第１射出光）を表している。なお、波形２５１は、赤色光源Ｒ、緑色光源Ｇ及び青色光源Ｂの駆動波形と第１液晶応答を表す波形２１１との重複部分に相当する。
【０１０３】
図８に示す波形２５１によれば、赤色のフィールド（Ｒ期間）の保持期間だけでなく、次の緑色のフィールド（Ｇ期間）の書込期間の一部においても、第１射出光として赤色の光（つまり、赤色光源Ｒからの光）が射出される。
【０１０４】
また、波形２５２は、図８に示す赤色光源Ｒ、緑色光源Ｇ及び青色光源Ｂの発光と第２液晶応答とに応じて液晶層２１から射出される散乱光（第２射出光）を表している。なお、波形２５２は、赤色光源Ｒ、緑色光源Ｇ及び青色光源Ｂの駆動波形と第２液晶応答を表す波形２１２との重複部分に相当する。
【０１０５】
図８に示す波形２５２によれば、赤色のフィールド（Ｒ期間）の保持期間だけでなく、次の緑色のフィールド（Ｇ期間）の書込期間の一部においても、第２射出光として赤色の光（つまり、赤色光源Ｒからの光）が射出される。
【０１０６】
このため、本実施形態においては、映像を最大輝度で表示する場合の第１射出光及び第２射出光の量を前述した第１実施形態における第１射出光及び第２射出光の量よりも増加させることができるため、より高輝度の映像を表示することができる。
【０１０７】
ここで、前述した図５に示す波形２２１及び２２２によれば、映像を最大輝度で表示する場合における走査終了行において液晶層２１から射出される光（第２射出光）の量は、走査開始行において液晶から射出される光（第１射出光）の量よりも減少している。
【０１０８】
これに対して、図８に示す波形２５２によって表される第２射出光の量は、波形２５１によって表される第１射出光の量と同程度である。
【０１０９】
このため、本実施形態においては、走査開始行及び走査終了行で映像の輝度が異なることにより表示品質が低下することを抑制することも可能である。
【０１１０】
なお、図８の波形２５１に示すように、各色の光源Ｒ、Ｇ及びＢの発光期間を延長したことにより、上記した赤ラスタ表示時において第１射出光の一部として青色の光が射出されてしまう。しかしながら、この第１射出光の一部として射出される青色の光の量は、当該第１射出光として射出される赤色の光の量に対して比率が小さいため、混色は視認されない。
【０１１１】
同様に、図８の波形２５２に示すように、各色の光源Ｒ、Ｇ及びＢの発光期間を延長したことにより、上記した赤ラスタ表示時において第２射出光の一部として緑色の光が射出されてしまう。しかしながら、この第２射出光の一部として射出される緑色の光の量は、当該第２射出光として射出される赤色の光の量に対して比率が小さいため、混色は視認されない。
【０１１２】
次に、図９は、映像を最小輝度で表示する場合の本実施形態に係る液晶表示装置１０の動作の概要を示す。なお、図９の説明においては、図５〜図８と同様の部分には同一参照符号を付して、その詳しい説明を省略する。ここでは、主に図８と異なる部分について述べる。
【０１１３】
上記したように映像を最小輝度で表示する場合には、映像を最大輝度で表示する場合と比較して、各色の光源Ｒ、Ｇ及びＢの発光期間を短くする。
【０１１４】
ここで、前述した第１実施形態においては、発光停止期間を固定し、各色の光源Ｒ、Ｇ及びＢの発光を開始するタイミングを遅らせるＰＷＭ制御により映像を最小輝度で表示するものとして説明したが、本実施形態においてこのようなＰＷＭ制御が行われた場合には、例えば走査開始行において液晶層２１から射出される散乱光（第１射出光）の量が不足する可能性がある。
【０１１５】
そこで、本実施形態において映像を最小輝度で表示する場合には、映像を最大輝度で表示する場合の発光開始時間（第１発光開始時間）よりも遅い発光開始時間（第２発光開始時間）から、映像を最大輝度で表示する場合の発光停止時間（第１発光停止時間）よりも早い発光停止時間（第２発光停止時間）までの期間に、各色の光源Ｒ、Ｇ及びＢを発光させる。換言すれば、本実施形態におけるＰＷＭ制御においては、発光開始時間と発光停止時間とを互いに近づけるようにして発光期間を調整することによって映像の輝度（つまり、各色の光源の発光量）を調整する。
【０１１６】
なお、図９に示すように、映像を最小輝度で表示する場合の発光停止時間は、前述した第１実施形態と同様に保持期間の終了時間に対応させるものとする。
【０１１７】
これによれば、図９の波形２６１及び２６２に示すように、走査開始行（第１液晶応答）であっても走査終了行（第２液晶応答）であっても、赤色光源Ｒからの光を第１射出光及び第２射出光として適切に射出することができる。
【０１１８】
上記したように本実施形態においては、映像を第１輝度（例えば、最大輝度）で表示する場合、第１発光開始時間から第１発光停止時間までの期間に複数の光源Ｒ、Ｇ及びＢのうちの少なくとも１つ（例えば、赤色光源Ｒ）を発光させ、映像を第２輝度（例えば、最小輝度）で表示する場合、第１発光開始時間よりも遅い第２発光開始時間から第１発光停止時間よりも早い第２発光停止時間までの期間に複数の光源Ｒ、Ｇ及びＢのうちの少なくとも１つを発光させる。
【０１１９】
具体的には、第１輝度が最大輝度である場合の第１発光開始時間から第１発光停止時間までの期間は、画素ＰＸに書き込まれた映像信号が当該画素ＰＸにおいて保持される保持期間と当該画素に次の映像信号を書き込むための書込み期間の少なくとも一部とに対応する期間とする。
【０１２０】
本実施形態においては、このような構成により、映像を最大輝度で表示する際に、前述した第１実施形態と比較してより高輝度の映像を表示することが可能となる。
【０１２１】
また、本実施形態において、第２輝度が最小輝度である場合の第２発光停止時間は、保持期間の終了時間に対応する。このような構成によれば、前述した第１実施形態と同様に、映像を最小輝度で表示する際に混色が生じることを抑制し、表示品質が低下することを抑制することができる。
【０１２２】
上記した本実施形態の構成によれば、走査開始行付近及び走査終了行付近のみならず、表示領域ＤＡ（表示画面）の全てにおいて、高輝度化と低輝度での映像表示時の混色改善とを両立することができる。
【０１２３】
なお、本実施形態においては、映像を最小輝度で表示する際の第２発光停止時間を保持期間の終了時間に対応させるものとして説明したが、映像を最小輝度で表示する際の第２発光開始時間及び第２発光停止時間は、映像の輝度を確保し、混色が生じることを抑制することが可能であれば、必ずしも本実施形態において説明したものでなくてもよい。
【０１２４】
具体的には、第２発光開始時間を保持期間の開始時間とすると混色が生じ、第２発光停止時間を映像を最大輝度で表示する際の第１発光停止時間と同一とすると輝度が低下することから、例えば映像を最小輝度で表示する際の第２発光開始時間及び第２発光停止時間（つまり、各色の光源Ｒ、Ｇ及びＢの発光期間）は、映像を最大輝度で表示する際の各色の光源Ｒ、Ｇ及びＢの発光期間（第１発光開始時間から第１発光停止時間までの期間）の例えば中央部付近に位置するように設定されていればよい。
【０１２５】
以上説明した少なくとも１つの実施形態によれば、表示品質の低下を抑制することが可能な液晶表示装置を提供することができる。
【０１２６】
以下、本実施形態に係る発明を付記する。  
［Ｃ１］  
発光色が異なる複数の光源と、  
前記複数の光源によって照明される液晶層を含む表示パネルと、  
前記表示パネルに映像を表示するために前記複数の光源を時分割的に順次発光させる駆動部と  
を具備し、  
前記駆動部は、  
前記映像を第１輝度で表示する場合、第１発光開始時間から発光停止時間までの期間に前記複数の光源のうちの少なくとも１つを発光させ、  
前記映像を前記第１輝度よりも低い第２輝度で表示する場合、前記第１発光開始時間よりも遅い第２発光開始時間から前記発光停止時間までの期間に前記複数の光源のうちの少なくとも１つを発光させる  
液晶表示装置。  
［Ｃ２］  
前記表示パネルは、マトリクス状に配置された画素を含み、  
前記第１輝度が最大輝度である場合の前記第１発光開始時間から前記発光停止時間までの期間は、前記画素に書き込まれた映像信号が当該画素において保持される保持期間に対応する期間である  
［Ｃ１］記載の液晶表示装置。  
［Ｃ３］  
発光色が異なる複数の光源と、  
前記複数の光源によって照明される液晶層を含む表示パネルと、  
前記表示パネルに映像を表示するために前記複数の光源を時分割的に順次発光させる駆動部と  
を具備し、  
前記駆動部は、  
前記映像を第１輝度で表示する場合、第１発光開始時間から第１発光停止時間までの期間に前記複数の光源のうちの少なくとも１つを発光させ、  
前記映像を前記第１輝度よりも低い第２輝度で表示する場合、前記第１発光開始時間よりも遅い第２発光開始時間から前記第１発光停止時間よりも早い第２発光停止時間までの期間に前記複数の光源ののうちの少なくとも１つを発光させる  
液晶表示装置。  
［Ｃ４］  
前記表示パネルは、マトリクス状に配置された画素を含み、  
前記第１輝度が最大輝度である場合の前記第１発光開始時間から前記第１発光停止時間までの期間は、前記画素に書き込まれた映像信号が当該画素において保持される保持期間と当該画素に次の映像信号を書き込むための書込期間の少なくとも一部とに対応する期間である  
［Ｃ３］記載の液晶表示装置。  
［Ｃ５］  
前記第２輝度が最小輝度である場合の前記第２発光停止時間は、前記保持期間の終了時間に対応する［Ｃ４］記載の液晶表示装置。  
［Ｃ６］  
前記液晶層は、高分子分散型液晶層を含む［Ｃ１］〜［Ｃ５］のいずれか一項に記載の液晶表示装置。  
［Ｃ７］  
発光色が異なる複数の光源と、前記複数の光源によって照明される液晶層を含む表示パネルと、前記表示パネルに映像を表示するために前記複数の光源を時分割的に順次発光させる駆動部とを備える液晶表示装置が実行する方法であって、  
前記映像を第１輝度で表示する場合、第１発光開始時間から発光停止時間までの期間に前記複数の光源のうちの少なくとも１つを発光させるステップと、  
前記映像を前記第１輝度よりも低い第２輝度で表示する場合、前記第１発光開始時間よりも遅い第２発光開始時間から前記発光停止時間までの期間に前記複数の光源のうちの少なくとも１つを発光させるステップと  
を具備する方法。  
［Ｃ８］  
前記表示パネルは、マトリクス状に配置された画素を含み、  
前記第１輝度が最大輝度である場合の前記第１発光開始時間から前記発光停止時間までの期間は、前記画素に書き込まれた映像信号が当該画素において保持される保持期間に対応する期間である  
［Ｃ７］記載の液晶表示装置。  
［Ｃ９］  
発光色が異なる複数の光源と、前記複数の光源によって照明される液晶層を含む表示パネルと、前記表示パネルに映像を表示するために前記複数の光源を時分割的に順次発光させる駆動部とを備える液晶表示装置が実行する方法であって、  
前記映像を第１輝度で表示する場合、第１発光開始時間から第１発光停止時間までの期間に前記複数の光源のうちの少なくとも１つを発光させるステップと、  
前記映像を前記第１輝度よりも低い第２輝度で表示する場合、前記第１発光開始時間よりも遅い第２発光開始時間から前記第１発光停止時間よりも早い第２発光停止時間までの期間に前記複数の光源ののうちの少なくとも１つを発光させるステップと  
を具備する方法。  
［Ｃ１０］  
前記表示パネルは、マトリクス状に配置された画素を含み、  
前記第１輝度が最大輝度である場合の前記第１発光開始時間から前記第１発光停止時間までの期間は、前記画素に書き込まれた映像信号が当該画素において保持される保持期間と当該画素に次の映像信号を書き込むための書込期間の少なくとも一部とに対応する期間である  
［Ｃ９］記載の方法。  
［Ｃ１１］  
前記第２輝度が最小輝度である場合の前記第２発光停止時間は、前記保持期間の終了時間に対応する［Ｃ１０］記載の方法。  
［Ｃ１２］  
前記液晶層は、高分子分散型液晶層を含む［Ｃ７］〜［Ｃ１１］のいずれか一項に記載の方法。
【０１２７】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【０１２８】
１０…液晶表示装置、２０…表示パネル、２１…液晶層、２３…共通電極、２６…画素電極、３０…光源、４１…走査回路、４２…信号出力回路、４３…共通電極駆動回路、４４…光源駆動回路、４５…タイミングコントローラ、４１１…走査線、４２１…信号線、４３１…電源線、Ｃａｄ…蓄積容量部、ＤＡ表示領域、ＬＥ…液晶素子、ＰＸ…画素、ＳＷ…画素トランジスタ、Ｒ…赤色光源、Ｇ…緑色光源、Ｂ…青色光源。
【図１】
2020177081.tif 000003
【図２】
2020177081.tif 000004
【図３】
2020177081.tif 000005
【図４】
2020177081.tif 000006
【図５】
2020177081.tif 000007
【図６】
2020177081.tif 000008
【図７】
2020177081.tif 000009
【図８】
2020177081.tif 000010
【図９】
2020177081.tif 000011